(57)【要約】【課題】非接触認識装置（RFID／タグ）を備える複数シートを重ねた状態で有する積層シート状製品で所望シートのタグのみに読み書きする。【解決手段】複数シートを積層した積層シート状製品で、２以上のシートの各々にタグ本体部とアンテナ配線とを含むタグを設け、アンテナ配線の面積を２以上の各シート間で互いに異なるものと（例えば下層シートほど順に小さく）する。積層シート状製品のタグに情報の読取り又は書込みを行う通信方法で、情報を読み書きするときに積層シート状製品に向ける磁界・電界の強度を各シート間で変える。例えば積層シート状製品が、第一の面積のアンテナを有するタグを持つ第一シートと、第一の面積より小さい第二の面積のアンテナを有するタグを持つ第二シートとを含む場合、第一シートのタグとの通信時に積層シート状製品に向ける磁界・電界強度を第一シートのタグと通信可能だが第二シートのタグと通信不能な強度とする。【選択図】図２
2006185373.tif 000002
【特許請求の範囲】
【請求項１】
複数のシートを積層してなる積層シート状製品であって、
前記複数のシートのうちの２以上のシートの各々に、情報を記憶可能な記憶部および通信回路を含む非接触認識装置本体部とアンテナ配線とを含む非接触認識装置を備え、
当該非接触認識装置のアンテナ配線の面積を、前記２以上の各シート間で互いに異なるものとした
ことを特徴とする積層シート状製品。
【請求項２】
前記２以上のシートに設けたアンテナ配線を、下層のシートに備えられたものほど順に小さくした
ことを特徴とする請求項１に記載の積層シート状製品。
【請求項３】
前記非接触認識装置を備えた２以上のシートのうち、平面から見たときに下層アンテナは、最上層アンテナを形成した領域に含まれる
ことを特徴とする請求項１または２に記載の積層シート状製品。
【請求項４】
前記各シートのアンテナ配線を同軸状に重ねて備えた
ことを特徴とする請求項１から３のいずれか一項に記載の積層シート状製品。
【請求項５】
複数のシートが積層され、かつ、情報を記憶可能な記憶部および通信回路を含む非接触認識装置本体部とアンテナ配線とを含む非接触認識装置を備えた積層シート状製品の前記非接触認識装置に対して情報の読み取りまたは書き込みを行う通信方法であって、
前記積層シート状製品は、前記複数のシートのうちの２以上のシートの各々に前記非接触認識装置を備え、
これら非接触認識装置のアンテナ配線の面積が各シート間で互いに異なり、
前記情報の読み取りまたは書き込みを行うときに、積層シート状製品に向けられる磁界または電界の強度を各シート間で変更する
ことを特徴とする積層シート状製品に対する通信方法。
【請求項６】
前記積層シート状製品は、第一の面積のアンテナ配線を有する非接触認識装置を備えた第一シートと、当該第一の面積より小さい第二の面積のアンテナ配線を有する非接触認識装置を備えた第二シートとを含み、
前記第一シートの非接触認識装置に対して情報の読み取りまたは書き込みを行うときに、前記積層シート状製品に向ける磁界または電界の強度を、第一シートの非接触認識装置と通信することが出来るが第二シートの非接触認識装置と通信を行うことは出来ない強度とする
ことを特徴とする請求項５に記載の積層シート状製品に対する通信方法。
【発明の詳細な説明】
【技術分野】
【０００１】
本発明は、非接触認識装置を備えた積層シート状製品および通信方法に係り、特に宅配便の配送伝票のような複数枚のシートが重ねられた積層製品の各シートにＩＣタグを取り付け、これらを個別に読み書きできるようにする技術に関する。
【背景技術】
【０００２】
ＩＣ技術の進歩により、ＲＦＩＤ（Radio Frequency Identification／電波方式認識）あるいはＩＣタグと称される、近接無線交信を使用する非接触型の認識装置が開発され近年利用されつつある。かかる非接触認識装置（以下、単にタグと称することもある）は、一般に、通信制御回路とメモリを内蔵するＩＣチップと、アンテナとを備えており、ホスト装置（リーダライタ）と至近距離で無線交信を行うことにより、メモリ内の情報を読み出しあるいはメモリ内に情報を書き込むことが可能である。
【０００３】
非接触認識装置の利用形態としては、例えばチケットにタグを取り付けて正規のチケットか否かの判定を行ったり（下記特許文献１）、書類にタグを配して管理を行う（下記特許文献２）提案がなされている。また、本のサプライチェーン上における様々な情報のハンドリングを可能とするために書籍にタグを付け（下記特許文献３）、あるいは飲食物の包装にタグを配するものがある（下記特許文献４）。さらに、宅配貨物や郵便小包の配送伝票にタグを付けることにより、配送管理を行う提案がなされている（下記特許文献５）。
【０００４】
【特許文献１】特開２０００−３２６６７２号公報
【特許文献２】特開２００２−１２０４７５号公報
【特許文献３】特開２００２−３３７４８２号公報
【特許文献４】特開２００３−１５５０６２号公報
【特許文献５】特開２００３−２２１１２６号公報
【発明の開示】
【発明が解決しようとする課題】
【０００５】
ところで、従来の非接触認識装置の利用形態は、単体の書類やシートにタグを取り付けて情報管理を行うに留まるもので、宅配荷物や郵便小包に使用される配送伝票のような複数枚のシート（帳票）を重ねた伝票や書類について各シート固有の情報を読み書きして各シートを個別に管理するようなこと、言い換えれば、荷物配送の各段階（例えば荷物の受付、受付地区の集配所での荷扱い、運送、配送先地区の集配所での荷扱い、届け先での配送荷物の受領）で各段階に固有の情報を読み書きすることによって、時系列的に配送過程をよりきめ細かく管理することは出来ない。
【０００６】
なぜなら、各帳票にタグを取り付けた場合、光学的にデータを読み取るバーコード等とは異なり非接触認識装置では、下層の帳票に設けたタグとも通信が可能で、たとえタグ位置（アンテナ位置）を多少ずらしたとしても、従来のタグ構造あるいは通信方法では、所望のタグとだけ選択的に通信（データの授受）を行うことは出来ないからである。
【０００７】
配送管理に係る上記特許文献５の発明も、特許文献１から４と同様に、伝票に単純にタグを付けて伝票全体に固有の情報を記憶させ、これを利用するに過ぎない。したがって、配送の各段階（各帳票）に固有の情報を読み書きして利用できるものではなく、例えば各帳票にタグを設けて特定の帳票に対してだけ情報を読み書きするようなことは出来ない。
【０００８】
一方、各シート固有の情報管理までは必要としない利用形態であっても、取扱い過程（例えば配送段階）でタグが付されたシートから分離されたシートについては、タグに格納されている情報（電子データ）を最早得ることは出来ず、これを利用することが出来ない不便がある。
【０００９】
したがって、本発明の目的は、非接触認識装置を備える複数のシートを重ねた状態で有する積層シート状製品において所望のシートのタグのみに対して読み書きを可能とする点にある。
【課題を解決するための手段】
【００１０】
前記目的を達成して課題を解決するため、本発明に係る積層シート状製品は、複数のシートを積層してなる積層シート状製品であって、前記複数のシートのうちの２以上のシートの各々に、情報を記憶可能な記憶部および通信回路を含む非接触認識装置本体部とアンテナ配線とを含む非接触認識装置を備え、当該非接触認識装置のアンテナ配線の面積を、前記２以上の各シート間で互いに異なるものとした。
【００１１】
本発明では、複数のシートを積層した積層シート状製品の２以上のシートに非接触認識装置（タグ）を設けるが、当該タグのアンテナ配線が各シート間で互いに異なる面積を有するようにしてある。したがって、通信時にホスト装置（リーダライタ）から積層シート状製品に向けられる磁界または電界（本発明にいう非接触認識装置は、容量結合を利用して通信を行う電界型と、誘導結合を利用して通信を行う磁界型の双方を含み、したがって本出願において「磁界」といった場合には磁界と電界の双方が含まれる）の強度を変えることにより当該積層シート状製品中の所望のシート（タグ）とのみ通信を行うことが可能となる。
【００１２】
例えば、上記積層シート状製品が、第一の面積のアンテナを備えた第一シートと、第二の面積のアンテナを備えた第二シートと、第三の面積のアンテナを備えた第三シートとを含み、前記第一、第二および第三の順にアンテナの面積が次第に小さくなっている場合を考えると、第一シートのタグと通信するときには、当該第一シートのアンテナによる通信に必要な強度でかつ第二および第三シートのアンテナにより通信を行うには不十分な強度の磁界を積層シート状製品に向ける。
【００１３】
尚、この磁界強度は、各シートのアンテナサイズやタグの回路構成等によって異なるから、ここでは特定の値に限定することは出来ないが、本発明では各シートのアンテナのサイズが異なることから、最も大きなアンテナを有する第一シートのタグには通信可能な起電力を生じさせるが、アンテナが小さい第二および第三シートのタグには通信に必要な起電力を生じさせない或る磁界強度が存在する。上記第一シートのタグとの通信を行う場合には、このような強度の磁界を積層シート状製品に与える。
【００１４】
次に、第一シートが積層シート状製品から分離され、第二シートのタグと通信を行うときには、積層シート状製品に向ける磁界強度を前記第一シートのタグとの通信時より強めて、当該第二シートのアンテナによる通信に必要な強度でかつ第三シートのアンテナには通信に必要な電力を生じさせない強度の磁界を積層シート状製品に向ける。これにより、第二シートのタグとのみ通信を行うことが可能となる。同様にしてそれぞれタグを備えた４枚以上のシートを有する積層シート状製品についてもシートごとに個別に通信を行うことが出来る。
【００１５】
アンテナ配線に向けられる磁界の強度を変える具体的な方法は特に問わないが、一例を挙げれば、次のような方法によることが出来る。
【００１６】
（１）リーダライタ内の電源出力を変えることによりリーダライタから放射される磁界強度を変える。
（２）リーダライタが備える共振回路内のＬ・Ｃ・Ｒ（インダクタ・キャパシタ・抵抗）のパラメータを変更可能に構成しておき、共振点をずらす。
（３）リーダライタ側のアンテナとして放射効率の異なる複数のアンテナを用意しておき、交換あるいは切替えにより通信時に異なるアンテナを使用する。
（４）リーダライタと積層シート状製品との間、または、電磁界の及ぶ範囲に導電体や磁性体や誘電体など磁界強度を変更可能な材料からなる手段を介在させる（リーダライタに装着するようにしても良い）。
（５）リーダライタと積層シート状製品との距離が大きくなればその分磁界強度が減衰するから、リーダライタと積層シート状製品との間に異なる高さのスペーサを介在させてリーダライタと積層シート状製品との距離を変える（かかるスペーサをリーダライタに装着可能とし、または伸縮可能なスペーサを備えたリーダライタを構成しても良い）。
【００１７】
各シートの配するアンテナ配線の具体的な構造としては、例えば前記２以上のシートに設けたアンテナ配線を、下層のシートに備えられたものほど順に小さくする。このような積層シート構造によれば、宅配の配送伝票のように上から順にシートが剥がされていくシート状製品に適用する場合に、リーダライタの出力を上層シートとの通信時ほど弱く、下層シートほど強くするように設定しておけば、常に最上層のシートのタグとだけ通信を行うことが可能となる。
【００１８】
尚、かかる配送伝票のような利用形態では、配送過程上の各拠点（例えば荷物の受付所、受付地区の集配所、運送業者、配送先の集配所、届け先での配達業者）でそれぞれのシート（帳票）に対応した出力を有するリーダライタを各拠点に設けておけば、リーダライタの出力調整をその都度行う必要はなく、各拠点で自分が必要なシートだけと選択的に通信を行うことが出来る。
【００１９】
さらに、非接触認識装置を備えた２以上のシートのうち、平面から見たときに下層アンテナが最上層アンテナを形成した領域に含まれるようにしても良く、また前記各シートのアンテナ配線を同軸状に重ねて設けても良い。
【００２０】
かかる構造によれば、各シート間で平面から見たときにタグ（アンテナ）の配置領域を一箇所にまとめることができ、区々な領域にタグ（アンテナ）が配置されている場合と較べてシート内のスペースの利用効率を高めることが出来る。
【００２１】
また、本発明にいう非接触認識装置は、必ずしもリーダライタまたはリーダ（本願においてリーダライタと言った場合にはこの両者が含まれる）から電源を供給して読み書きを行う受動型タグに限られるものではなく、タグに電力供給源を有してリーダライタからの電力供給によらず動作する電源搭載型タグも含むものである。尚、電源搭載型タグによる場合には、例えばリーダライタの受信感度を変更するなどして、リーダライタから積層シート状製品に向けられる磁界強度を変更するようにした前記例と同様に所望のシートとのみ通信を行うようにすることが出来る。
【００２２】
さらに、本発明の非接触認識装置は、情報の読み出しと書き込みの両方が可能なタイプ、１回だけ書き込み可能な追記タイプ、あるいは、読み出しのみが可能なリード専用タイプのいずれのタイプのタグであっても良い。
【００２３】
また、本発明にいう積層シート状製品は、荷物の配送に使用される配送伝票のほか、例えば回数券等のチケット類や書類その他、複数枚のシートを重ねた状態で備える様々なシート状製品を含み、本発明はこれらに対し広く適用することが可能である。さらに、シートの種類、材質、形状、サイズ等についても特に限定はなく、例えば紙、樹脂フィルム、布、２種類以上の材料により形成された複合シート材その他、様々なシート材料であって良い。
【００２４】
また、本発明に係る積層シート状製品に対する通信方法は、複数のシートが積層され、かつ、情報を記憶可能な記憶部および通信回路を含む非接触認識装置本体部とアンテナ配線とを含む非接触認識装置を備えた積層シート状製品の前記非接触認識装置に対して情報の読み取りまたは書き込みを行う通信方法であって、前記積層シート状製品は、前記複数のシートのうちの２以上のシートの各々に前記非接触認識装置を備え、これら非接触認識装置のアンテナ配線の面積が各シート間で互いに異なり、前記情報の読み取りまたは書き込みを行うときに、積層シート状製品に向けられる磁界または電界の強度を各シート間で変更する。
【００２５】
本発明に係る通信方法では、積層シート状製品の２以上のシートに備えられたタグ（非接触認識装置）と個別に通信（情報の読み取りおよび書き込みの一方または双方）を行うが、当該製品に備えられた複数のタグはアンテナ配線の面積が異なるように構成されている。したがって、前記本発明の積層シート状製品において述べたのと同様に、通信時にリーダライタから積層シート状製品に向けられる磁界または電界の強度を変えることで、所望のタグとのみ通信を行うことが出来る。
【００２６】
例えば、前記積層シート状製品が、第一の面積のアンテナ配線を有する非接触認識装置を備えた第一シートと、当該第一の面積より小さい第二の面積のアンテナ配線を有する非接触認識装置を備えた第二シートとを含み、前記第一シートの非接触認識装置に対して通信（情報の読み取りまたは書き込み）を行うときに、積層シート状製品に向ける磁界または電界の強度を、第一シートの非接触認識装置と通信することが出来るが第二シートの非接触認識装置と通信を行うことは出来ない強度とする。これにより、第一シートのタグとのみ通信を行うことが出来る。
【発明の効果】
【００２７】
本発明によれば、非接触認識装置を備える複数のシートを重ねた状態で有する積層シート状製品において所望のシートのタグのみに読み書きすることが出来る。
【００２８】
本発明の他の目的、特徴および利点は、以下の本発明の実施の形態の説明により明らかにする。
【発明を実施するための最良の形態】
【００２９】
図１および図２は、本発明の一実施形態に係る積層シート状製品として宅配用の配送伝票を示すものである。これらの図に示すようにこの配送伝票１１は、上面（伝票表面）から下面（伝票裏面）に向け順に、依頼主控票１１ａ、窓口業者控票１１ｂ、配送業者控票１１ｃおよび配送先控票１１ｄの４枚の帳票を積層した状態で備え、これら各帳票１１ａ〜１１ｄを切り離し可能に一端部１２で一体に束ねたものである。尚、依頼主控票１１ａの表面には、配送先住所氏名等を記載する欄１７や配送依頼者の住所氏名等を記載する欄１７ａなどが設けられ、これらに対する記載事項は、各帳票の裏面に設けたカーボン紙を介して窓口業者控票１１ｂや配送業者控票１１ｃ、配送先控票１１ｄにも転写される。
【００３０】
４枚の各帳票１１ａ〜１１ｄには、平面（上面）から見て略同位置にタグ１６ａ〜１６ｄを取り付けるためのタグ配置部１３ａ〜１３ｄを設けてあり、これらのタグ配置部１３ａ〜１３ｄにそれぞれ非接触認識装置（ＲＦＩＤ／タグ）１６ａ〜１６ｄを設けてある。尚、各帳票１１ａ〜１１ｄにおけるタグ配置部１３ａ〜１３ｄの形成位置は、図示の例のほかにも様々な位置であって良い。また、タグを有するシートの枚数は、２または３枚であっても良いし、５枚以上とすることも出来る。さらにタグを有しないシートが適宜含まれていても構わない。また、本実施形態では、タグ１６ａ〜１６ｄ（ＩＣチップ１４ａ〜１４ｄおよびアンテナ１５ａ〜１５ｄ）を帳票の表面に設けたが、各帳票の裏面に設けても良い。
【００３１】
各帳票１１ａ〜１１ｄに設けたタグ１６ａ〜１６ｄは、ＩＣチップ１４ａ〜１４ｄとアンテナ配線（以下、単にアンテナという）１５ａ〜１５ｄとを有する。ＩＣチップ１４ａ〜１４ｄは、従来から知られたＲＦＩＤが有する機能を実現するための諸回路を内蔵している。具体的には、図５に示すように情報を記憶するデータ記憶部（メモリ）３７を有し、リーダライタと近接無線通信を行う通信回路として変調・復調回路３４、共振回路３５および制御部３８を備え、電源回路３３を有する。動作用の電力は、リーダライタからアンテナ１５ａ〜１５ｄを通じて電源回路３３に供給される。
【００３２】
一方、各タグ１６ａ〜１６ｄのアンテナは、大きさ（面積）を下層の帳票ほど小さくなるようにしてある。すなわち、最上層の帳票１１ａに設けたアンテナ１５ａが最も大きく、第２層の帳票１１ｂに設けたアンテナ１５ｂ、第３層の帳票１１ｃに設けたアンテナ１５ｃ、最下層の帳票１１ｄに設けたアンテナ１５ｄの順に次第にアンテナのサイズを小さく形成してある。尚、アンテナ形状は、本実施形態の場合には相似形としたが、例えば図６に模式的に示すように各帳票間で異なる形状であっても良い。
【００３３】
図３は上記配送伝票１１に対する通信方法を示すもので、（ａ）は最上層の帳票１１ａのタグ１６ａと通信を行う場合、（ｂ）は最上層の帳票１１ａを剥がし、その下の第２層の帳票１１ｂのタグ１６ｂと通信を行う場合、（ｃ）は第２層の帳票１１ｂを剥がし、その下の第３層の帳票１１ｃのタグ１６ｃと通信を行う場合、（ｄ）は第３層の帳票１１ｃを剥がし、その下の最下層の帳票１１ｄのタグ１６ｄと通信を行う場合をそれぞれ示している。
【００３４】
これらの図に示すように各帳票１１ａ〜１１ｄのタグ１６ａ〜１６ｄから情報を読み取りあるいは書き込む場合には、リーダライタ２１を伝票１１（図３では図示せず）に当てて通信を行うが、リーダライタ２１から放射される磁界強度（交流磁界の振幅）を、最上層の帳票１１ａ（タグ１６ａ）の場合にはＨ１、第２層の帳票１１ｂ（タグ１６ｂ）の場合にはＨ２、第３層の帳票１１ｃ（タグ１６ｃ）の場合にはＨ３、最下層の帳票１１ｄ（タグ１６ｄ）の場合にはＨ４とする。
【００３５】
各磁界強度Ｈ１，Ｈ２，Ｈ３，Ｈ４は、Ｈ１＜Ｈ２＜Ｈ３＜Ｈ４の関係にあり、Ｈ１は、最上層のタグ１６ａとの通信が可能な電力を当該最上層のアンテナ１５ａを通じて生じさせるが、下層（第２層以下）の各帳票１１ｂ〜１１ｄのアンテナ１５ｂ〜１５ｄには通信可能な大きさの電力を生じさせない強度である。またＨ２は、第２層のタグ１６ｂとの通信が可能な電力を当該第２層のアンテナ１５ｂを通じて生じさせるが、下層（第３層以下）の各帳票１１ｃ〜１１ｄのアンテナ１５ｃ〜１５ｄには通信可能な大きさの電力を生じさせない強度である。さらにＨ３は、第３層のタグ１６ｃとの通信が可能な電力を当該第３層のアンテナ１５ｃに生じさせるが、最下層の帳票１１ｄのアンテナ１５ｄには通信可能な大きさの電力を生じさせない強度である。Ｈ４は、最下層のタグ１６ｄとの通信が可能な電力を当該最下層のアンテナ１５ｄに生じさせる強度である。
【００３６】
図４は、リーダライタ２１の構成例を示すものである。この図に示すようにリーダライタ２１は、タグ１６ａ〜１６ｄとの通信を行う通信回路部２２と、タグから取得した情報あるいはタグに書き込むべき情報を格納するデータ記憶部２７と、送受信制御および情報の読み書き制御等を行う制御部２８と、各部および各回路に電力を供給する電源部２９とを有する。通信回路部２２は、タグ１６ａ〜１６ｄとの間で信号の送受を行う共振回路２５およびアンテナ２６と、送信信号の変調および受信信号の復調を行う変調・復調回路２４と、搬送波となる高周波信号を生成する発振回路２３とを含む。
【００３７】
かかるリーダライタ２１において前述のように放射磁界強度Ｈ１，Ｈ２，Ｈ３，Ｈ４を変更できるようにするには、例えば電源部２９から発振回路２３に供給される電圧を変更可能に構成すれば良い。また、共振回路２５を形成するインダクタ（Ｌ）やキャパシタ（Ｃ）の値を可変に構成して共振点をずらすことが出来るようにしても良い。さらに、リーダライタ２１のアンテナ部に（アンテナ２６とタグ１６ａ〜１６ｄとの間に介在させるように）アンテナ２６からの放射効率を変える部材（例えば導電性部材や磁性体部材）を装着できるようにしても良い。また、アンテナ２６として放射効率の異なるアンテナを複数用意しておき、アンテナ２６を付け替えあるいは切り替えることが出来るようにしても磁界強度を変更することが出来る。
【００３８】
さらに図５に示すようにリーダライタ２１と伝票１１（タグ）との距離を設定するスペーサ３１ａ，３１ｂ，…を装着できるようにしても良い。スペーサ３１ａ，３１ｂ，…は、磁束を通過させることが可能でかつ異なる高さを有する複数種類のものを用意しておけば良い。タグ１６ａ，１６ｂ，…とリーダライタ２１との距離が長くなれば、その分磁界強度が減衰するからリーダライタ２１と伝票１１との距離を変えることでタグ１６ａ，１６ｂ，…のアンテナ１５ａ，１５ｂ，…に付与される磁界強度を調整することが出来る。上記実施形態の場合、磁界強度Ｈ１，Ｈ２，Ｈ３，Ｈ４に対応して異なる高さを有する４種類のスペーサを用意しておけば良い。また、スペーサを伸縮可能に構成しておいても良く、これによれば１つのスペーサで高さを変え、同様にして磁界強度を調整することが可能となる。
【００３９】
尚、本実施形態に係る配送伝票１１を宅配業務で使用する場合、必ずしも上記のように放射磁界強度を変更可能に構成したリーダライタ２１を、配送過程上にある各営業拠点に備え付けておく必要はなく、上記のような方法によって放射磁界強度Ｈ１の（最上層帳票用の）リーダライタと、放射磁界強度Ｈ２の（第２層帳票用の）リーダライタと、放射磁界強度Ｈ３の（第３層帳票用の）リーダライタと、放射磁界強度Ｈ４の（最下層帳票用の）リーダライタとを作製しておき、各帳票１１ａ〜１１ｄを使用する営業拠点で自己が使用する帳票に対応したリーダライタを備えておくようにしても良い。
【００４０】
本実施形態の配送伝票１１によれば、最上層の依頼主控票１１ａにリーダライタ２１を当てタグ１６ａと通信を行う場合には、リーダライタ２１から放射される強度Ｈ１の磁界によって最上層の依頼主控票１１ａのタグ１６ａに対してデータの読み書きを行うことが出来る。このとき、強度Ｈ１の磁界よっては、第２層以下の帳票１１ｂ〜１１ｄのタグ１６ｂ〜１６ｄには通信に必要な電力が生じることがなく、他のタグ１６ｂ〜１６ｄとの通信は行われない。
【００４１】
依頼主控票１１ａが剥がされ、窓口業者控票１１ｂが最上層となった場合には、リーダライタ２１から放射される強度Ｈ２の磁界によって、第２層の窓口業者控票１１ｂに対してデータの読み書きを行うことが出来る。このとき、強度Ｈ２の磁界よっては、第３層以下の帳票１１ｃ〜１１ｄのタグ１６ｃ〜１６ｄには通信に必要な電力が生じることがなく、これらのタグ１６ｃ〜１６ｄとの通信は行われない。配送業者控票１１ｃについても、強度Ｈ３の磁界よって同様に当該帳票１１ｃのタグ１６ｃのみと通信を行うことが出来る。最下層の配送先控票１１ｄについては、強度Ｈ４の磁界よって当該帳票１１ｄのタグ１６ｄに対して情報の読み書きを行うことが出来る。
【００４２】
したがって、本実施形態の配送伝票１１によれば、宅配荷物の配送過程で各帳票１１ａ〜１１ｄに固有の情報を読み書きして従来よりきめ細かな配送管理を行うことが出来る。また、配送過程で帳票１１ａ〜１１ｄのいずれかが離れてしまった場合にも、各帳票１１ａ〜１１ｄがタグ１６ａ〜１６ｄを備えているから、これらのタグ１６ａ〜１６ｄにデータを格納しておくことにより電子データを利用することが可能となる。
【００４３】
以上、本発明の実施の形態について説明したが、本発明はこれらに限定されるものではなく、特許請求の範囲に記載の範囲内で種々の変更を行うことができることは当業者に明らかである。例えば本発明にいう非接触認識装置は、必ずしもリーダライタから電源を供給して読み書きを行う受動型タグに限られるものではなく、タグに電力供給源を有してリーダライタからの電力供給によらず動作する電源搭載型タグも含まれる。また、配送伝票に限られず、複数のシートを積層した様々な製品に本発明は適用可能であることは既に述べたとおりである。
【図面の簡単な説明】
【００４４】
【図１】本発明の一実施形態に係る積層シート状製品（宅配用の配送伝票）を示す斜視図である。
【図２】前記実施形態の配送伝票を各帳票に分離して示す分解斜視図である。
【図３】（ａ）から（ｄ）は前記実施形態に係る配送伝票の通信方法を示す模式図である。
【図４】前記実施形態に係る配送伝票と通信を行うリーダライタを示すブロック図である。
【図５】前記実施形態に係る配送伝票と通信を行うリーダライタの一構成例を模式的に示す図である。
【図６】上記実施形態の配送伝票に設けるタグの別の構成例を示す模式図である。
【図７】前記実施形態の配送伝票が備えるタグの構成例を示すブロック図である。
【符号の説明】
【００４５】
１１  配送伝票
１１ａ  依頼主控票
１１ｂ  窓口業者控票
１１ｃ  配送業者控票
１１ｄ  配送先控票
１３ａ，１３ｂ，１３ｃ，１３ｄ  タグ配置部
１４ａ，１４ｂ，１４ｃ，１４ｄ  ＩＣチップ
１５ａ，１５ｂ，１５ｃ，１５ｄ  アンテナ
１６ａ，１６ｂ，１６ｃ，１６ｄ  タグ（ＲＦＩＤ）
２１  リーダライタ
２２  通信回路部
２３  発振回路
２４  変調・復調回路
２５  共振回路
２６  アンテナ
２７  データ記憶部
２８  制御部
２９  電源部
３１ａ，３１ｂ  スペーサ
３３  電源回路
３４  変調・復調回路
３５  共振回路
３７  データ記憶部
３８  制御部
【図１】
2006185373.tif 000003
【図２】
2006185373.tif 000004
【図３】
2006185373.tif 000005
【図４】
2006185373.tif 000006
【図５】
2006185373.tif 000007
【図６】
2006185373.tif 000008
【図７】
2006185373.tif 000009